(57)【要約】【課題】従来の光源ユニットおよび工事灯と比べて、積層収納されたときの破損のリスクが低減された光源ユニットおよび工事灯を提供する。【解決手段】少なくとも一部が支持部３０の上端部４１上に配置される光源ユニット１０であって、光源２と、光源２を内部に収容しており、少なくとも一部が光源２から発せられた光を透過可能に形成されている筐体１とを備える。上記筐体１は、支持部３１の側面２３を上端部２１よりも上方に延長させた仮想側面Ａに囲まれた領域内に収まるように上端部２１上に配置される。【選択図】図１
2018071200.tif 000002
【特許請求の範囲】
【請求項１】
少なくとも一部が支持部の上端部上に配置される光源ユニットであって、
光源と、
前記光源を内部に収容しており、少なくとも一部が前記光源から発せられた光を透過可能に形成されている筐体とを備え、
前記筐体は、前記支持部の側面を前記上端部よりも上方に延長させた仮想側面に囲まれた領域内に収まるように前記上端部上に配置される、光源ユニット。
【請求項２】
前記支持部の前記側面は錐体面であり、
前記筐体は、前記錐体面を前記上端部よりも上方に延長させた仮想円錐面に囲まれた領域内に収まるように前記上端部上に配置される、請求項１に記載の光源ユニット。
【請求項３】
前記筐体は、前記筐体の外周が全周に渡って前記上端部の外周から内方に離れている、請求項１または２に記載の光源ユニット。
【請求項４】
前記筐体は、フランジ部と、前記フランジ部の内側に中央部とを含み、
前記中央部は前記光源を含み、前記フランジ部は太陽電池パネルを含む、請求項１〜３のいずれか１項に記載の光源ユニット。
【請求項５】
前記光源は砲弾型発光ダイオードであり、
前記光源ユニットは、前記砲弾型発光ダイオードが発した光の少なくとも一部を反射可能に形成されているプリズムレンズを含み、
前記プリズムレンズは前記中央部内に配置されており、
前記砲弾型発光ダイオードは、その長手方向が前記支持部の軸方向に沿うように配置されており、
前記プリズムレンズは前記砲弾型発光ダイオードから発せられた光の少なくとも一部を前記軸方向と交差する方向に反射する、請求項４に記載の光源ユニット。
【請求項６】
前記光源をオンオフするための操作部をさらに備え、
前記筐体には開口部と、前記開口部の周囲を取り囲み前記筐体の内側に向かって凸状である凸部とが形成されており、
前記操作部は、前記開口部から露出されて弾性変形可能な弾性部と、前記弾性部と接続されており前記弾性部の周囲を取り囲むリブ部と、前記弾性部の弾性変形に伴い変位可能な棒状部とを含み、
前記プリズムレンズには、前記棒状部を挿通するための貫通孔が形成されており、
前記プリズムレンズおよび前記凸部が、前記リブ部を挟んで水密に接続されている、請求項５に記載の光源ユニット。
【請求項７】
前記筐体は、第１の操作によって前記支持部に対してロック状態となり、第２の操作によって前記支持部との前記ロック状態が解除され取り外し可能な状態となる、請求項１〜６のいずれか１項に記載の光源ユニット。
【請求項８】
請求項１〜７のいずれか１項に記載の光源ユニットと、
前記上端部を有する前記支持部とを備え、
前記支持部の前記上端部上に前記光源ユニットが配置されている、工事灯。
【請求項９】
前記支持部は、前記筐体と接続されるアダプタを含み、
前記支持部の前記上端部は前記アダプタの上端部であり、
前記支持部の前記側面は前記アダプタの側面であり、前記筐体は、前記アダプタの前記側面を前記上端部よりも上方に延長させた前記仮想側面に囲まれた領域内に収まるように前記上端部上に配置される、請求項８に記載の工事灯。
【発明の詳細な説明】
【技術分野】
【０００１】
本発明は、光源ユニットおよびこれを備える工事灯に関する。
【背景技術】
【０００２】
車、歩行者の進路を制限するために、頂部に光源が設置された工事灯が知られている。
実用新案登録第３１８４９４６号（特許文献１）には、コーンの頂部に載置挿入される光源ユニットが開示されている。該光源ユニットは、コーンの内に配置される主光源とコーンの外に配置される副光源とを備えている。
【先行技術文献】
【特許文献】
【０００３】
【特許文献１】実用新案登録第３１８４９４６号
【発明の概要】
【発明が解決しようとする課題】
【０００４】
しかしながら、上記特許文献１には、光源ユニットの外形状は、コーン本体頂部付近の傾斜角度より僅かに、はみ出す外形であることが開示されている。そのため、当該光源ユニットを付設した複数台のコーンを積層収納する際に、付設されたコーンからはみ出している当該光源ユニットの部分は、他のコーンと接触する。その結果、当該はみ出している部分は、破損し易いという問題がある。また、当該はみ出している部分が存在する場合、積層収納された際に積層方向に十分に小さく収納され得ないため、積層収納された複数台のコーンがかさばるという問題がある。
【０００５】
本発明は、上記のような課題を解決するためになされたものである。本発明の主たる目的は、従来の光源ユニットおよび工事灯と比べて、積層収納されたときの破損のリスクが低減されており、また積層収納されたときのかさを削減されている光源ユニットおよび工事灯を提供することにある。
【課題を解決するための手段】
【０００６】
本発明に係る光源ユニットは、少なくとも一部が支持部の上端部上に配置される光源ユニットであって、光源と、光源を内部に収容しており、少なくとも一部が光源から発せられた光を透過可能に形成されている筐体とを備える。上記筐体は、支持部の側面を上端部よりも上方に延長させた仮想側面に囲まれた領域内に収まるように上端部上に配置される。
【発明の効果】
【０００７】
本発明によれば、従来の光源ユニットおよび工事灯と比べて、積層収納されたときの破損のリスクが低減されており、また積層収納されたときのかさを削減されている光源ユニットおよび工事灯を提供することができる。
【図面の簡単な説明】
【０００８】
【図１】実施の形態１に係る工事灯を示す断面図である。
【図２】実施の形態１に係る光源ユニットの本体部を示す斜視図である。
【図３】図２に示す本体部の断面図である。
【図４】実施の形態１に係るアダプタを示す斜視図である。
【図５】図４に示すアダプタの断面図である。
【図６】実施の形態１に係る光源ユニットの組立状態を示す断面図である。
【図７】実施の形態１に係る光源ユニットの組立方法を示す断面図である。
【図８】実施の形態１に係る工事灯が積層収納された状態を示す断面図である。
【図９】実施の形態２に係る工事灯を示す断面図である。
【図１０】実施の形態３に係る光源ユニットを示す斜視図である。
【図１１】図１０に示す光源ユニットの断面図である。
【図１２】実施の形態３に係る工事灯を示す断面図である。
【図１３】実施の形態４に係る工事灯を示す断面図である。
【発明を実施するための形態】
【０００９】
以下、図面を参照して、本発明に係る実施の形態について説明する。なお、以下の図面において同一または相当する部分には同一の参照番号を付しその説明は繰返さない。
【００１０】
（実施の形態１）
＜工事灯の構成＞
図１を参照して、実施の形態１に係る工事灯１００について説明する。実施の形態１に係る工事灯１００は、光源ユニット１０と、支持部３０とを備える。なお、以下において、図１に示されるように工事灯１００が設置されたときに、工事灯１００の中心軸が延在する方向を軸方向とよぶ。また、軸方向において相対的に設置面から遠い側を上、近い側を下とよぶ。
【００１１】
図１に示されるように、支持部３０は、光源ユニット１０を支持するものである。支持部３０は、アダプタ２０とコーン本体部４０とを含む。コーン本体部４０の外形状は、任意に設定され得るが、例えば円錐台である。図１に示されるように、コーン本体部４０は、上端部４１、下端部４２、外側面４３および内側面４４を有している。コーン本体部４０の内部には空間が配置されている。コーン本体部４０の内部空間は、上端部４１および下端部４２において開口している。
【００１２】
図１に示されるように、上端部４１は、内側面４４の上端を含む。例えば、コーン本体部４０の上端部４１の外周側には外側面４３よりも内側に凹んでいる溝部（図示しない）が配置されている。上記軸方向から視たときに、溝部は例えば環状に配置されている。外側面４３の上端は、当該溝部に接続されている。溝部の上端は、上端部４１の上面の外周端を成している。内側面４４の上端は、上端部４１の上面の内周端を成している。コーン本体部４０を上方から視たときに、上端部４１の形状は例えば円環状である。該溝部において、コーン本体部４０の上記軸方向に垂直な方向における厚みは、例えば上方に向かうにつれて徐々に薄くなるように形成されている。
【００１３】
下端部４２は、外側面４３および内側面４４の各下端と、当該各下端よりも外周側に向かって突出している部分とを含む。内側面４４の下端は、下端部４２の下面の内周端を成している。下端部４２の下面は、接地される。コーン本体部４０を上方から視たときに、下端部４２の外周端の形状は例えば矩形状である。
【００１４】
図１に示されるように、外側面４３および内側面４４は、例えば錐体面である。上記軸方向に沿った断面において、外側面４３の成す中心角は、例えば内側面４４の成す中心角と等しい。内側面４４は、コーン本体部４０の上記内部空間に面している。
【００１５】
図１に示されるように、上端部４１の上面は、下端部４２の下面と略平行である。コーン本体部４０の軸方向における下端部４２から上端部４１までの長さは、例えば一定である。
【００１６】
＜アダプタの構成＞
図１に示されるように、アダプタ２０は、支持部３０において光源ユニット１０を支持するものである。アダプタ２０の外形状は、任意に設定され得るが、例えば円錐台である。アダプタ２０の下端部２２の上記軸方向に垂直な方向の幅（アダプタ２０の外径）は、コーン本体部４０の上端部４１の上記垂直な方向の幅、すなわち外側面４３の上端の上記垂直な方向の幅以下である。光源ユニット１０の上記垂直な方向の外径は、アダプタ２０の上端部２１の上記垂直な方向の幅以下である。光源ユニット１０は、少なくとも一部がコーン本体部４０の上端部４１上に配置される。
【００１７】
図１、図４および図５に示されるように、アダプタ２０は、上端部２１、下端部２２、外側面２３、第１内側面部２４および第２内側面部２６を含む。
【００１８】
上端部２１は、外側面２３の上端を含む。上端部２１は、第１内側面部２４および第２内側面部２６の各上端を含む。外側面２３の上端は、上端部２１の上面の外周端を成している。第１内側面部２４および第２内側面部２６の各上端は、上端部２１の上面の内周端を成している。アダプタ２０を上方から視たときに、外側面２３の上端の形状は例えば円形状である。アダプタ２０の上端部２１が支持部３０の上端部である。アダプタ２０の外側面２３を上端部２１よりも上方に延長させた仮想側面Ｂ（図６参照）に囲まれた領域は、例えばコーン本体部４０の外側面４３を上端部４１よりも上方に延長させた仮想側面Ａ（図１参照）に囲まれた領域内に収まる。
【００１９】
下端部２２は、外側面２３の下端を含む。外側面２３の下端は、下端部２２の下面の外周端を成している。第１内側面部２４の下端２５および第２内側面部２６の下端は、外側面２３の下端すなわち下端部２２よりも上端部２１側に配置されている。下端部２２は、コーン本体部４０の上端部４１と接触される。外側面２３は例えば錐体面状である。
【００２０】
異なる観点から言えば、アダプタ２０は、相対的に外周側に配置されている外周部２０Ａ、および相対的に内周側に配置されている内周部２０Ｂを含む。外周部２０Ａおよび内周部２０Ｂは、上端部２１で接続されている。外側面２３は、外周部２０Ａに配置されている。第１内側面部２４および第２内側面部２６は、内周部２０Ｂに配置されている。
【００２１】
図５に示されるように、上端部２１の上面は、下端部２２の下面と略平行である。第１内側面部２４および第２内側面部２６は、上端部２１の上面と略直交している。第１内側面部２４および第２内側面部２６は、アダプタ２０の中心軸に沿って延びている。つまり、上記軸方向がアダプタ２０の中心軸に沿うように、光源ユニット１０はアダプタ２０の上端部２１上に配置され得る。アダプタ２０の中心軸に沿った方向における下端部２２から上端部２１までの長さは、例えば一定である。アダプタ２０の中心軸に沿った方向における下端部２２から上端部２１までの長さは、例えば一定である。
【００２２】
アダプタ２０の上端部２１と下端２５との間の上記中心軸に沿った方向における長さＬ２（図５参照）は、光源ユニット１０の筐体１のフランジ部１Ｅと突出部９との間の上記軸方向における長さＬ１（図３参照）以下であればよいが、例えば上記長さＬ１未満である。アダプタ２０の上端部２１の外径は、光源ユニット１０のフランジ部１Ｅの外径以上アダプタ２０の下端部２２の外径未満である。アダプタ２０の上端部２１の外径は、例えばフランジ部１Ｅの外径よりも長い。アダプタ２０の下端部２２の外径は、後述するコーン本体部４０の上端部４１の外径以下であればよいが、例えば上端部４１の外径よりも短い。
【００２３】
図４および図５に示されるように、第１内側面部２４は、第２内側面部２６に接続されている。アダプタ２０を上方から視たときに、第１内側面部２４の上端の形状は例えば円形状である。アダプタ２０を上方から視たときに、第２内側面部２６の上端の形状は例えば矩形状である。第１内側面部２４は例えば円柱面状である。第２内側面部２６は例えば角柱面状である。第１内側面部２４に囲まれた空間は、光源ユニット１０の筐体１の中央部１Ａを収容可能である。第２内側面部２６に囲まれた空間は、光源ユニット１０の筐体１の突出部９を収容可能である。光源ユニット１０の筐体１の中央部１Ａがアダプタ２０の第１内側面部２４に囲まれた空間内に収容されて、光源ユニット１０が組み立てられた状態を図６に示す。
【００２４】
アダプタ２０は、例えばコーン本体部４０に対して固定されている。アダプタ２０は任意の方法によりコーン本体部４０に固定されていればよい。例えば、上述のようにコーン本体部４０の上端部４１の外周側には外側面４３よりも内側に凹んでいる溝部が配置されており、アダプタ２０の下端部２２がコーン本体部４０の当該溝部に無理嵌めされることにより、アダプタ２０はコーン本体部４０に固定され得る。ここで、無理嵌めとは、２つの部材の少なくともいずれか一方を弾性変形させながら嵌め合すことをいう。この場合、アダプタ２０は、上記仮想側面Ａに囲まれた領域内に収まるようにコーン本体部４０に対し無理嵌めされており、アダプタ２０の一部が上端部上に配置される。アダプタ２０がコーン本体部４０に対し無理嵌めにより固定されていることにより、２つの部材を塑性変形させながら嵌め合せる嵌め殺しにより固定されている場合と異なり、コーン本体部４０から取り外されたアダプタ２０は再度該コーン本体部４０に固定され得る。
【００２５】
＜光源ユニットの構成＞
次に、図１〜図７を参照して、実施の形態１に係る光源ユニット１０について説明する。図１に示されるように、光源ユニット１０は、コーン本体部４０の上端部４１上に配置されたときに、コーン本体部４０の外側面４３を上端部４１よりも上方に延長させた仮想側面Ａに囲まれた領域内に収まるように、形成されている。
【００２６】
図２および図３に示されるように、光源ユニット１０は、筐体１、複数の光源２、電池３、第１基板４、プリズムレンズ５、複数の太陽電池パネル６、第２基板７、および操作部８を備える。光源ユニット１０は、コーン本体部４０の上端部４１上に配置されたアダプタ２０の上端部２１上に配置されたときに、上記仮想側面Ａに囲まれた領域内に収まるとともに、上記仮想側面Ｂに囲まれた領域内に収まる。
【００２７】
図３に示されるように、筐体１は、中央部１Ａおよびフランジ部１Ｂを有する第１部材と、中央部１Ｃおよびフランジ部１Ｄを有する第２部材とで構成されている。中央部１Ａはフランジ部１Ｂと接続されている。中央部１Ａとフランジ部１Ｂとは、例えば一体として成形されている。第２部材は、中央部１Ｃはフランジ部１Ｄと接続されている。中央部１Ｃとフランジ部１Ｄとは、例えば一体として成形されている。光源ユニット１０を上方から視たときに、中央部１Ｃおよびフランジ部１Ｂ，１Ｄの外形は、例えば後述するコーン本体部４０の上端部４１の外周端の形状と相似の関係にあり、例えば円形状である。光源ユニット１０を下方から視たときに、中央部１Ａの外形は、例えば後述するコーン本体部４０の上端部４１の内周端の形状と相似の関係にあり、例えば円形状である。フランジ部１Ｂ，１Ｄは、上記軸方向と垂直な方向に延在している。
【００２８】
図３に示されるように、第１部材および第２部材には、内部に空間が配置されている。第１部材の内部空間は、フランジ部１Ｂ側に開口している。第２部材の内部空間は、フランジ部１Ｄ側に開口している。さらに、第２部材の内部空間は、中央部１Ｃ側に開口している。
【００２９】
図２および図３に示されるように、筐体１は、第１部材のフランジ部１Ｂと第２部材のフランジ部１Ｄとが向き合って接続されて成る。フランジ部１Ｂの外周部には、上記軸方向に凸状である第１凸部と、該第１凸部よりも内周側に凹状である第１凹部とが配置されている。フランジ部１Ｂの外周端部には、上記軸方向に凸状である第２凸部と、該第２凸部よりも外周側に凹状である第２凹部とが配置されている。フランジ部１Ｅにおいて、フランジ部１Ｂの第１凸部および第１凹部は、フランジ部１Ｄの第２凹部および第２凸部と嵌め合わされている。筐体１の内部空間は、第１部材の上記内部空間と第２部材の上記内部空間とが順に積層されたものである。
【００３０】
筐体１の第２部材を構成する材料は、砲弾型発光ダイオード２が発する光および太陽電池パネル６が受光し得る光を透過可能な材料である限りにおいて、任意の材料であればよいが、例えばポリカーボネートあるいはアクリルである。筐体１の第１部材を構成する材料は、任意の材料であればよいが、例えば第２部材を構成する材料と同一である。
【００３１】
図２および図３に示されるように、筐体１は、中央部１Ａ，１Ｃと、フランジ部１Ｅとを含む。中央部１Ａは上記軸方向における筐体１の一端（下端）を有し、中央部１Ｃは上記軸方向における筐体１の他端（上端）を有している。フランジ部１Ｅは、上記軸方向において、中央部１Ａと中央部１Ｃとの間に配置されている。
【００３２】
図２および図３に示されるように、上記軸方向に垂直な方向における中央部１Ｃの長さは、上記垂直な方向における中央部１Ａの長さよりも短い。上記垂直な方向における中央部１Ａの長さは、上記垂直な方向におけるフランジ部１Ｅの長さよりも短い。上記軸方向におけるフランジ部１Ｅの長さは、上記軸方向における中央部１Ｃの長さよりも短い。上記軸方向における中央部１Ｃの長さは、上記軸方向における中央部１Ａの長さよりも短い。
【００３３】
図３に示されるように、筐体１の中央部１Ａ，１Ｃは、上記軸方向に沿って延びる外周面を有している。フランジ部１Ｅは、中央部１Ａ，１Ｃの当該外周面に直交する下面１１を有している。フランジ部１Ｄと接続されていない側の中央部１Ｃの外周面の一部は、錐体面である。中央部１Ｃは、フランジ部１Ｄと接続されていない側において、フランジ部１Ｄから離れるにつれて上記垂直な方向の長さが徐々に短くなるように形成されている。
【００３４】
図３に示されるように、フランジ部１Ｄと接続されていない側の中央部１Ｃには、上記錐体面の内側に開口部１Ｆが配置されている。すなわち、中央部１Ｃの上面には、開口部１Ｆが配置されている。中央部１Ｃには、開口部１Ｆよりも上記垂直な方向の外側に第３凸部１Ｇ、第３凹部１Ｈ、および第４凸部１Ｉが順に配置されている。光源ユニット１０を上方から視たときに、開口部１Ｆ、第３凸部１Ｇ、第３凹部１Ｈ、および第４凸部１Ｉの各々の形状は、例えば円環状である。開口部１Ｆの内周端面は、例えば上記軸方向に沿って延びている。第３凸部１Ｇおよび第４凸部１Ｉは、上記軸方向においてフランジ部１Ｄ側に向かって凸状である。第４凸部１Ｉは、第３凸部１Ｇよりも上記垂直な方向の外側に配置されており、かつ第３凸部１Ｇよりも上記軸方向においてフランジ部１Ｄ側に向かって突出している。第３凹部１Ｈは、第３凸部１Ｇおよび第４凸部１Ｉの間に配置されており、第３凸部１Ｇおよび第４凸部１Ｉに対して凹んでいる。
【００３５】
筐体１において砲弾型発光ダイオード２から発せられた光の進路と重なる部分には、光を拡散させるための凹凸が配置されていてもよい。例えば、中央部１Ｃの上記錐体面の反対側に位置する内周面には、凹凸が形成されていてもよい。当該凹凸は、光源ユニット１０を上方から視たときに、開口部１Ｆを囲むように配置された複数の環状溝であってもよい。この場合、当該凹凸は、後述するプリズムレンズ５の反射面５Ｂの上方に配置されていればよい。このようにすれば、砲弾型発光ダイオード２から発せされて反射面５Ｂを透過した光は当該凹凸により拡散され得る。
【００３６】
図３に示されるように、中央部１Ａは、中央部１Ａの外周面よりも上記垂直な方向に突出している突出部９を含む。突出部９は、フランジ部１Ｂと上記軸方向に長さＬ１を隔てて配置されている。突出部９は、中央部１Ａの外周面の周方向における一部上にのみ配置されている。突出部９は、例えば中央部１Ａと一体として形成されている。図３に示されるように、フランジ部１Ｂと接続されていない側の中央部１Ａには、第４凹部１Ｊが配置されていてもよい。第４凹部１Ｊは、例えば中央部１Ｃの上端を含む中央部１Ｃの少なくとも一部を収容可能であってもよい。
【００３７】
図３に示されるように、筐体１の内部空間には、複数の砲弾型発光ダイオード２、電池３および第１基板４、プリズムレンズ５、複数の太陽電池パネル６、第２基板７、および操作部８の一部が収容されている。電池３および第１基板４は、第１部材の中央部１Ａ内に収容されている。プリズムレンズ５は第２部材の中央部１Ｃ内に収容されている。複数の砲弾型発光ダイオード２および操作部８は、第１部材の中央部１Ａおよび第２部材の中央部１Ｃ内に収容されている。太陽電池パネル６および第２基板７はフランジ部１Ｅ内に収容されている。
【００３８】
複数の光源２の各々は、適宜選択され得るが、例えば砲弾型発光ダイオードである。砲弾型発光ダイオード２は、その長手方向の一方に高い指向性を示す。光源ユニット１０において、複数の砲弾型発光ダイオード２は、上方に高い指向性を示すように配置されている。複数の砲弾型発光ダイオード２は、砲弾型発光ダイオード２の長手方向が上記軸方向に沿うように、第１基板４の上面上に実装されている。第１基板４の上面は、上記軸方向に垂直となるように配置されている。電池３は、第１基板４を介して複数の砲弾型発光ダイオード２に電力を供給可能である。電池３は、例えば複数の砲弾型発光ダイオード２よりも下方に配置されている。なお、複数の光源の少なくとも一部はチップＬＥＤであってもよい。
【００３９】
図３に示されるように、プリズムレンズ５は、複数の砲弾型発光ダイオード２よりも上方に配置されている。プリズムレンズ５は、入射面５Ａおよび反射面５Ｂを有している。光源ユニット１０を上方から視たときに、入射面５Ａおよび反射面５Ｂの外形は例えば円形状である。入射面５Ａおよび反射面５Ｂは、上記軸方向において砲弾型発光ダイオード２と重なるように配置されている。入射面５Ａは、反射面５Ｂよりも中央部１Ｃの開口部に近く、例えば上記軸方向に対して垂直に配置されている。入射面５Ａに対する反射面５Ｂの傾斜角は、例えば４５度である。反射面５Ｂは、上記軸方向に垂直な方向において光源ユニット１０の中央から遠くなるほど、上記軸方向の方向において砲弾型発光ダイオード２との間の距離が長くなるように、傾斜している。これにより、砲弾型発光ダイオード２から上方に発せられた光は、入射面５Ａに入射される。入射面５Ａに入射した光の一部は、反射面５Ｂにより上記軸方向に垂直であって反射面５Ｂよりも外側に向かう方向に反射されて、出射される。入射面５Ａに入射した光の残部は、反射面を透過して上方に出射される。
【００４０】
図３に示されるように、プリズムレンズ５は、入射面５Ａおよび反射面５Ｂと一体として形成されている台座部５Ｃおよび第５凸部５Ｅを有している。台座部５Ｃは、上記垂直な方向において反射面５Ｂよりも内側に配置されている。台座部５Ｃは、入射面５Ａおよび反射面５Ｂの内側の端部よりも中央部１Ｃの開口部から遠くに配置されている。台座部５Ｃは、上記軸方向に交差する方向に延在している。台座部５Ｃは、筐体１の中央部１Ｃに配置されている開口部１Ｆに面している。上記垂直な方向における台座部５Ｃの中央には、貫通孔５Ｄが形成されている。第５凸部５Ｅは、台座部５Ｃの開口部１Ｆに面する面に対し、凸状である。第５凸部５Ｅは、貫通孔５Ｄを囲むように環状に配置されている。台座部５Ｃにおいて開口部１Ｆに面している面上には、後述する操作部８の弾性部８Ａおよびリブ部８Ｂが配置されている。台座部５Ｃおよび第５凸部５Ｅは、中央部１Ｃの第４凸部１Ｉと嵌め合されている。
【００４１】
図３に示されるように、太陽電池パネル６および第２基板７は、上述のように、フランジ部１Ｅ内に配置されており、上記垂直な方向において砲弾型発光ダイオード２の外側に配置されている。太陽電池パネル６は、フランジ部１Ｅ内の広い領域に配置されているのが好ましい。例えば、平面形状が長方形状である複数の太陽電池パネル６が、フランジ部１Ｅの周方向に並んで配置されている。太陽電池パネル６は、第２基板７上に実装されている。第２基板７は、図示しない配線を介して第１基板４と接続されている。太陽電池パネル６が受光により発電した電力は、第２基板７および第１基板４を介して砲弾型発光ダイオード２に供給され、または第２基板７および第１基板４を介して電池３に蓄電される。光源ユニット１０を上方から視たときに、第２基板７の外形は例えば円環状である。
【００４２】
図３に示されるように、操作部８は、弾性部８Ａ、リブ部８Ｂおよび棒状部８Ｃを有している。弾性部８Ａおよびリブ部８Ｂは、プリズムレンズ５の台座部５Ｃにおいて開口部１Ｆに面する面上に配置されている。弾性部８Ａは、上記軸方向に沿って延在して中央部１Ｃの開口部１Ｆの内周端面と接触している環状部分を有している。さらに、弾性部８Ａは、上記環状部分の内側において該環状部分と接続されており、かつ開口部１Ｆから筐体１の外部に露出している露出部分を有している。リブ部８Ｂは、弾性部８Ａの上記環状部分の周囲を取り囲むように配置されている。弾性部８Ａとリブ部８Ｂとは、一体として成形されている。弾性部８Ａおよびリブ部８Ｂを構成する材料は、弾性を有する任意の材料である。リブ部８Ｂは、第３凸部１Ｇおよび第３凹部１Ｈと嵌め合されている。このとき、リブ部８Ｂは、第３凸部１Ｇおよび台座部５Ｃにより押圧されて、弾性変形している。これにより、筐体１とプリズムレンズ５とは、リブ部８Ｂを挟んで水密に接続されている。
【００４３】
棒状部８Ｃは、弾性部８Ａの弾性変形に伴い変位可能である。棒状部８Ｃは、プリズムレンズ５の貫通孔５Ｄ内に挿通されている。棒状部８Ｃの一端はモーメンタリスイッチに接続されている。棒状部８Ｃの他端は、プリズムレンズ５の台座部５Ｃと、弾性部８Ａおよびリブ部８Ｂとの間に配置されている。弾性部８Ａが台座部５Ｃ側に押圧されたときに、棒状部８Ｃは弾性部８Ａとともに台座部５Ｃ側に押圧され、移動し得る。
【００４４】
＜光源ユニットの組み立て状態＞
図６に示されるように、光源ユニット１０が組み立てられた状態において、筐体１の中央部１Ｃおよびフランジ部１Ｅがアダプタ２０の上端部２１よりも上方に突出している。このとき、筐体１の突出部９がアダプタ２０の下端２５よりも下方に突出している。これにより、光源ユニット１０はアダプタ２０からの脱離が防止されている。該組立状態において、光源ユニット１０のフランジ部１Ｅの下面１１が、アダプタ２０の上端部２１と接触している。該組立状態において、上記長さＬ１が上記長さＬ２よりも長いため、突出部９は例えばアダプタ２０の下端２５と接触していない。該組立状態において、光源ユニット１０は、アダプタ２０の外側面２３を上端部２１よりも上方に延長させた仮想側面Ａ（仮想円錐面）に囲まれた領域内に収まるように配置されている。
【００４５】
フランジ部１Ｅの外周端部は、外側面２３の上端よりも内側に配置されている。光源ユニット１０の筐体１の中央部１Ａの上記外周面は、アダプタ２０の第１内側面部２４および第２内側面部２６と略平行である。光源ユニット１０の筐体１のフランジ部１Ｅの下面１１は、アダプタ２０の上端部２１の上面と略平行である。これにより、光源ユニット１０が組み立てられた状態において、光源ユニット１０の上記軸方向は、アダプタ２０の中心軸に沿うように配置されている。
【００４６】
＜光源ユニットの組み立て方法＞
図６および図７に示されるように、光源ユニット１０は、２つの操作により組み立てられ得る。まず、筐体１の中央部１Ｃを第１内側面部２４に囲まれた空間内に、筐体１の突出部９を第２内側面部２６に囲まれた空間内に、フランジ部１Ｅの下面１１がアダプタ２０の上端部２１に接触するまでそれぞれ挿入する。次に、光源ユニット１０をアダプタ２０に対して相対的に回転させ、筐体１の突出部９を第１内側面部２４の下端２５の下方に配置する。これにより、光源ユニット１０が組み立てられる。上述のように、組立状態では、光源ユニット１０はアダプタ２０に対してロックされた状態にある。さらに、組み立てる際の２つの操作の順序を逆にして行うことで、ロック状態が解除され、光源ユニット１０はアダプタ２０から取り外し可能な状態となる。
【００４７】
＜作用効果＞
図１に示されるように、光源ユニット１０は、工事灯１００において、支持部３０の外側面４３を上端部４１よりも上方に延長させた仮想円錐面Ａに囲まれた領域内に収まるように上端部４１上に配置される。そのため、図８に示されるように、複数の工事灯１００が積層収納される際にも、光源ユニット１０は他の工事灯１００と接触しない。その結果、光源ユニット１０は、工事灯１００が積層収納されたときにも、他の工事灯１００の荷重が集中して印加されることが防止されているため、破損のリスクが低減されている。
【００４８】
図１に示されるように、上記光源ユニット１０において、筐体１は、筐体１の外周が全周に渡ってアダプタ２０の上端部２１の外周端から内方に離れている。筐体１は、筐体１の外周が全周に渡ってコーン本体部４０の上端部４１の外周端から内方に離れている。このような光源ユニット１０は、工事灯１００が積層収納されたときにも、他の工事灯１００の荷重が筐体１に集中して印加されることが防止されているため、破損のリスクが低減されている。
【００４９】
図１に示されるように、上記光源ユニット１０は筐体１とコーン本体部４０との間にアダプタ２０をさらに備える。アダプタ２０は、仮想側面Ａに囲まれた領域内に収まるように上端部４１上に配置される。このような光源ユニット１０は、光源ユニット１０をコーン本体部４０の上端部４１上に直接配置することが困難である場合にも、該光源ユニット１０はアダプタ２０を介して該コーン本体部４０の上端部４１上に配置され得る。また、アダプタ２０は、複数の工事灯１００が積層収納されたときにも、他の工事灯１００の荷重が集中して印加されることが防止されているため、破損のリスクが低減されている。
【００５０】
図２および図３に示されるように、上記光源ユニット１０において、筐体１は、フランジ部１Ｅと、フランジ部１Ｅの内側に中央部１Ａ，１Ｃとをさらに含む。中央部１Ａ，１Ｃは光源２を含む。フランジ部１Ｅは太陽電池パネル６を含む。このような構成を備える筐体１は、太陽電池パネルが中央部に配置された構成を備える筐体と比べて、小型化され得る。
【００５１】
具体的には、太陽電池パネルが筐体の中央部内に配置された場合、工事灯から上方へ光を照射するためには、光源およびプリズムレンズの少なくともいずれかは太陽電池パネルと重なるように配置され得ない。光源およびプリズムレンズの少なくともいずれかは、工事灯において外部に露出される筐体部分内であって、太陽電池パネルよりも外側に配置される必要がある。この場合、工事灯において外部に露出される筐体部分を小型化することは困難である。これに対し、上記光源ユニット１０によれば、上記軸方向における長さが砲弾型発光ダイオード２およびプリズムレンズ５よりも短い太陽電池パネル６がフランジ部１Ｅに配置されている。そのため、光源およびプリズムレンズ５は、工事灯１００において露出される中央部１Ｃ内に配置され得る。その結果、上記光源ユニット１０は、太陽電池パネルが筐体の中央部内に配置された上記構成を備える光源ユニットと比べて、筐体１において外周側に位置する部分（フランジ部１Ｅ）の上記軸方向における長さが短くされ得る。さらに、フランジ部１Ｅは、筐体１の上端よりも下方に配置され得る。その結果、上記構成を備える筐体１は、コーン本体部４０の上端部４１上に配置されたときに上記仮想円錐面Ａに囲まれた領域内に収まるように、容易に形成され得る。
【００５２】
上記光源ユニット１０において、光源は砲弾型発光ダイオード２である。これにより、上述のように、砲弾型発光ダイオード２は高い指向性を有しているため、光源ユニット１０は所定の方向に強い光を照射することができる。
【００５３】
上記光源ユニット１０は、砲弾型発光ダイオード２が発した光の一部を反射可能に形成されているプリズムレンズ５を含む。プリズムレンズ５は中央部１Ｃ内に配置されている。砲弾型発光ダイオード２は、その長手方向がコーン本体部４０の軸方向に沿うように配置されている。プリズムレンズ５は砲弾型発光ダイオード２から発せられた光の少なくとも一部を上記軸方向と交差する方向に反射する。このようにすれば、光源ユニット１０は、上方および側方に光を照射することができる。
【００５４】
上記光源ユニット１０は、砲弾型発光ダイオード２をオンオフするための操作部８をさらに備える。筐体１には開口部１Ｆと、開口部１Ｆの周囲を取り囲み筐体１の内側に向かって凸状である凸部とが形成されている。操作部８は、開口部１Ｆから露出されて弾性変形可能な弾性部８Ａと、弾性部８Ａと接続されており弾性部８Ａの周囲を取り囲むリブ部８Ｂと、弾性部８Ａの弾性変形に伴い変位可能な棒状部８Ｃとを含む。プリズムレンズ５には、棒状部８Ｃを挿通するための貫通孔５Ｄが形成されている。プリズムレンズ５および凸部が、リブ部８Ｂを挟んで水密に接続されている。このようにすれば、操作部８は工事灯１００において露出しているため、外部から容易にアクセスするこができる。また、上記構成により開口部１Ｆから筐体１内への浸水が防止されているため、光源ユニット１０は浸水による故障のリスクが低い。
【００５５】
上記光源ユニット１０において、筐体１は、第１の操作によってアダプタ２０に対してロック状態となり、第２の操作によってアダプタ２０とのロック状態が解除され取り外し可能な状態となる。そのため、光源ユニット１０は、アダプタ２０に対して容易に着脱され得る。アダプタ２０がコーン本体部４０に固定されていれば、第１の操作によって筐体１はコーン本体部４０に対してロック状態となり、第２の操作によってコーン本体部４０とのロック状態が解除され取り外し可能な状態となる。
【００５６】
上記工事灯１００は、光源ユニット１０と、上端部２１を有する支持部３０とを備える。支持部３０は、筐体１と接続されるアダプタ２０とコーン本体部４０とを含む。支持部３０の上端部２１はアダプタ２０の上端部２１である。支持部３０の外側面２３はアダプタ２０の外側面２３である。筐体１は、アダプタ２０の外側面２３を上端部２１よりも上方に延長させた仮想側面Ａに囲まれた領域内に収まるように上端部２１上に配置される。そのため、工事灯１００において光源ユニット１０は、支持部３０の上記仮想円錐面Ａ内に収まるように配置されている。その結果、工事灯１００が積層収納されたときにも、他の工事灯１００の荷重が光源ユニット１０に集中して印加されることが防止されているため、破損のリスクが低減されている。また、積層収納された複数の工事灯１００のかさは、積層収納された従来の工事灯のかさと比べて削減されている。
【００５７】
＜変形例＞
支持部３０の構造は、円錐台状に限られるものではなく、角錐台であってもよい。また、支持部３０の構造は、円筒または角筒であってもよい。支持部３０の構造が円筒または角筒である場合、支持部３０の側面を上端部４１よりも上方に延長させた仮想側面は円柱状面または角柱状面となる。この場合、光源ユニット１０は、該仮想側面に囲まれた領域内に収まるように構成され得る。このような光源ユニット１０であっても、上記仮想側面よりも外側に突出しないため、上記仮想側面よりも外側に突出している光源ユニットと比べて、工事灯１００が積層収納されたときの破損のリスクが低減されている。上端部４１の構造は、任意に設定され得る。支持部３０の内部空間は、上端部４１において開口していなくてもよい。アダプタ２０と支持部３０とは、任意の方法により固定され得る。
【００５８】
（実施の形態２）
次に、図９を参照して、実施の形態２に係る工事灯１１０について説明する。工事灯１１０は、基本的には実施の形態１に係る工事灯１００と同様の構成を備えるが、支持部３０がコーン本体部４０のみで構成されている点で異なる。
【００５９】
光源ユニット１０は、実施の形態１における光源ユニット１０と同様の構成を備えている。コーン本体部４０は、実施の形態１におけるコーン本体部４０と基本的に同様の構成を備えている。光源ユニット１０の下面１１は、コーン本体部４０の上端部４１の上面と接触している。光源ユニット１０の外径は、コーン本体部４０の上端部４１の外径以下である。
【００６０】
コーン本体部４０の上端部４１には、光源ユニット１０の中央部１Ａ（図２参照）を収容するための開口部が配置されている。該開口部は、例えば実施の形態１におけるアダプタ２０におけるそれと同様の構成を備えている。該開口部の内周面４５は、例えば図４および図５に示されるアダプタ２０の上記第１内側面部２４と同様の構成を備える第３内側面部（図示しない）と、アダプタ２０の上記第２内側面部２６と同様の構成を備える第４内側面部（図示しない）を有している。第３内側面部は例えば円柱面状である。第４内側面部は例えば角柱面状である。第３内側面部に囲まれた空間は、光源ユニット１０の筐体１の中央部１Ａを収容可能である。第４内側面部に囲まれた空間は、光源ユニット１０の筐体１の突出部９を収容可能である。
【００６１】
コーン本体部４０には、例えば内周面４５の第３内側面部の下端には、溝部４６が配置されている。溝部４６は、第３内側面部に対して外側（外側面２３側）に向かって凹状である。溝部４６は、内周面４５内の上記第４内側面部に接続されている。
【００６２】
このようにしても、光源ユニット３１、すなわち光源ユニット１０は、コーン本体部４０の外側面４３を上端部４１よりも上方に延長させた仮想円錐面Ａに囲まれた領域内に収まるように上端部４１上に配置される。そのため、工事灯１１０は、工事灯１００と同様の効果を奏することができる。なお、光源ユニット３１は、光源ユニット１０の一部、すなわち中央部１Ｃおよびフランジ部１Ｅがコーン本体部４０の上端部４１上に配置されている。
【００６３】
なお、コーン本体部４０には内周面４５が配置されていなくてもよい。コーン本体部４０には、少なくとも突出部９を挿通可能とするための切欠き部が内側面４４の上端の一部に形成されていればよい。
【００６４】
（実施の形態３）
次に、図１０〜１２を参照して、実施の形態３に係る工事灯１２０について説明する。実施の形態３に係る工事灯１２０は、基本的に実施の形態１に係る工事灯１００と同様の構成を備えるが、光源ユニット１０に代えて光源ユニット５０を備える点で異なる。
【００６５】
図１０および図１１に示されるように、光源ユニット５０は、筐体５１、複数の光源５２、電池５３、第３基板５４、太陽電池パネル５６、および操作部５８を備える。
【００６６】
図１１に示されるように、筐体５１は、光源ユニット５０において外部に露出される外郭部５１Ａと、外郭部５１Ａよりも内側に配置される内郭部５１Ｂとで構成されている。外郭部５１Ａの外形は、例えば錘台状である。外郭部５１Ａの上端部の外径は、外郭部５１Ａの下端部６１の外径未満である。
【００６７】
図１２に示されるように、筐体５１は、コーン本体部４０の上端部４１上に配置されたときに、コーン本体部４０の外側面４３を上端部４１よりも上方に延長させた仮想円錐面Ａに囲まれた領域内に収まるように形成されている。
【００６８】
外郭部５１Ａと内郭部５１Ｂとの間に、複数の光源５２、電池５３、第３基板５４、太陽電池パネル５６、および操作部５８の一部が収容されている。内郭部５１Ｂの下端部は、例えば外郭部５１Ａの下端部６１よりも上方に配置されている。外郭部５１Ａの上面には、開口部５１Ｈが形成されている。光源ユニット５０を上方から視たときに、開口部５１Ｈの周囲には、上記筐体１と同様の凹凸構造が配置されている。
【００６９】
複数の光源５２の各々は、適宜選択され得るが、例えば砲弾型発光ダイオードである。光源ユニット５０において、複数の砲弾型発光ダイオード５２は、側方に高い指向性を示すように配置されている。複数の砲弾型発光ダイオード５２は、砲弾型発光ダイオード５２の長手方向が筐体５１の径方向に沿うように、第３基板５４の下面上に実装されている。複数の砲弾型発光ダイオード５２において第３基板５４と接続されている側と反対側の発光部側の端部は、光源ユニット５０を上方から視たときに、太陽電池パネル５６と重ならないように配置されている。
【００７０】
第３基板５４は、筐体５１の径方向において中央に配置されている。第３基板５４の下面は、水平方向に沿うように配置されている。電池５３は、第３基板５４を介して複数の砲弾型発光ダイオード５２に電力を供給可能である。電池５３は、例えば複数の砲弾型発光ダイオード５２よりも下方に配置されている。
【００７１】
太陽電池パネル５６は、第３基板５４の上面上に配置されている。つまり、太陽電池パネル５６は、筐体５１の径方向において中央に配置されている。
【００７２】
操作部５８は、基本的に操作部８と同様の構成を備える。操作部５８は、棒状部５８Ｃがプリズムレンズでは無い部材に挿通され、当該部材と筐体５１の上記凹凸構造との間に弾性部５８Ａおよびリブ部５８Ｂが嵌め合されている。
【００７３】
図１２に示されるように、光源ユニット５０は、コーン本体部４０の上端部４１上に配置される。このとき、外郭部５１Ａの下端部６１の下面は、コーン本体部４０の上端部４１の上面と接触している。
【００７４】
なお、外郭部５１Ａには、外郭部５１Ａの内周面に対して内側に突出している突出部５９が配置されていてもよい。突出部５９は、外郭部５１Ａの周方向において一部にのみ配置されている。この場合、コーン本体部４０の上端部４１上には、突出部５９と係合し得る係合部（図示しない）が配置されている。係合部は、例えば上端部４１の上面上に配置されている突出部５９の上面と対向する下面を有している。突出部５９は、光源ユニット５０が上端部４１上に配置された状態でその周方向に回転されることにより、上端部４１の上面と係合部の下面との間に挟まれたロック状態とされる。これにより、光源ユニット５０は、コーン本体部４０に対して上下方向への移動が制限される。該ロック状態は、光源ユニット５０がその周方向にさらに回転されることにより、解除され得る。
【００７５】
このようにしても、光源ユニット５０はコーン本体部４０の外側面４３を上端部４１よりも上方に延長させた仮想円錐面Ａに囲まれた領域内に収まるように上端部４１上に配置される。そのため、工事灯１２０が積層収納される際にも、光源ユニット５０は他の工事灯１２０と接触しないか、あるいは筐体５１の外側面がコーン本体部４０の外側面４３とともに他の工事灯１２０のコーン本体部４０と面接触し得る。その結果、光源ユニット５０は、工事灯１２０が積層収納されたときにも、他の工事灯１２０の荷重が集中して印加されることが防止されているため、破損のリスクが低減されている。
【００７６】
なお、光源ユニット５０は、砲弾型発光ダイオード２の長手方向が水平方向に沿うように配置されているため、光源ユニット１０と比べて、水平方向へ照射される光の強度が高く、上方へ照射される光の強度が低い。光源ユニット１０，５０は、光の強度に関する工事灯の要求仕様などに応じて選択され得る。
【００７７】
また、光源ユニット５０は、光源ユニット１０と同様に、プリズムレンズをさらに備えていてもよい。
【００７８】
（実施の形態４）
次に、図１３を参照して、実施の形態４に係る工事灯１３０について説明する。実施の形態４に係る工事灯１３０は、基本的に実施の形態１に係る工事灯１００と同様の構成を備えるが、アダプタ２０が上述したコーン本体部４０の外側面４３を上端部４１よりも上方に延長させた仮想側面Ａ（図１参照）に囲まれた領域内に収まらないように形成されている点で異なる。支持部３０において、アダプタ２０の下端部２２はコーン本体部４０の上端部４１よりも外周側に配置されている。
【００７９】
工事灯１３０では、アダプタ２０の外側面２３を上端部２１よりも上方に延長させた仮想側面Ｂ（図１３参照）に囲まれた領域が上記仮想側面Ａ（図１参照）に囲まれた領域内に収まるらないように形成されていてもよい。
【００８０】
光源ユニット１０の筐体１は、図１３に示されるように、少なくともアダプタ２０の上記仮想側面Ｂに囲まれた領域内に収まるように形成されている。
【００８１】
このようにしても、光源ユニット１０は、アダプタ２０の上記仮想側面Ｂ内に収まるように配置されるため、複数の工事灯１３０が積層収納される際にも、光源ユニット１０は他の工事灯１００と接触しない。その結果、光源ユニット１０は、工事灯１３０が積層収納されたときにも、他の工事灯１３０の荷重が集中して印加されることが防止されているため、破損のリスクが低減されている。
【００８２】
さらに、光源ユニット１０の筐体１は、上記コーン本体部４０の仮想側面Ａ（図１参照）に囲まれた領域内に収まるように形成されていてもよい。
【００８３】
つまり、実施の形態１，４のように支持部３０がアダプタ２０を含む場合には、上記筐体１は、少なくともアダプタ２０の外側面２３を上端部２１よりも上方に延長させた仮想側面Ｂに囲まれた領域内に収まるように上端部２１上に配置されていればよい。実施の形態２，３のように支持部３０がアダプタ２０を含まずコーン本体部４０のみからなる場合には、上記筐体１は、少なくともコーン本体部４０の外側面４３を上端部４１よりも上方に延長させた仮想側面Ａに囲まれた領域内に収まるように上端部４１上に配置されていればよい。
【００８４】
以上、本発明の実施の形態について説明したが、今回開示された実施の形態はすべての点で例示であって制限的なものではないと考えられるべきである。本発明の範囲は特許請求の範囲によって示され、特許請求の範囲と均等の意味および範囲内でのすべての変更が含まれることが意図される。
【符号の説明】
【００８５】
１，５１  筐体、１Ａ，１Ｃ  中央部、１Ｂ，１Ｄ，１Ｅ  フランジ部、１Ｆ，５１Ｈ  開口部、１Ｇ  第３凸部、１Ｈ  第３凹部、１Ｉ  第４凸部、１Ｊ  第４凹部、２，５２  光源、２，５２  砲弾型発光ダイオード、３，５３  電池、４  第１基板、５  プリズムレンズ、５Ａ  入射面、５Ｂ  反射面、５Ｃ  台座部、５Ｄ  貫通孔、５Ｅ  第５凸部、６，５６  太陽電池パネル、７  第２基板、８，５８  操作部、８Ａ，５８Ａ  弾性部、８Ｂ，５８Ｂ  リブ部、８Ｃ，５８Ｃ  棒状部、９，５９  突出部、１０，３１，５０  光源ユニット、１１  下面、２０  アダプタ、２０Ａ  外周部、２０Ｂ  内周部、２１，４１  上端部、２２，４２，６１  下端部、２３，４３  外側面、２４  第１内側面部、２５  下端、２６  第２内側面部、３０  支持部、４０  コーン本体部、４４  内側面、４５  内周面、４６  溝部、５１Ａ  外郭部、５１Ｂ  内郭部、５４  第３基板、１００，１１０，１２０，１３０  工事灯。
【図１】
2018071200.tif 000003
【図２】
2018071200.tif 000004
【図３】
2018071200.tif 000005
【図４】
2018071200.tif 000006
【図５】
2018071200.tif 000007
【図６】
2018071200.tif 000008
【図７】
2018071200.tif 000009
【図８】
2018071200.tif 000010
【図９】
2018071200.tif 000011
【図１０】
2018071200.tif 000012
【図１１】
2018071200.tif 000013
【図１２】
2018071200.tif 000014
【図１３】
2018071200.tif 000015